(57)【要約】【課題】  タスク・アンビエント空調に際し、タスク域では作業者個々に合わせた作業温度等の環境を確保することが好ましいが、専用の空調ダクトなどを配設するとコストがかかる等の問題があるため、コストがかからず、手軽で、かつ省エネに寄与できるタスク域用空調装置と空調装置用システムを提供する。【解決手段】  タスク域に向けて送風するタスク域用空調装置に蓄熱材を密封した蓄熱材カートリッジを着脱自在に装着する。蓄熱材カートリッジは蓄熱装置によって蓄熱され、保管されており、空調を必要とする作業者等は、蓄熱装置から蓄熱材カートリッジを取り出し、前記タスク域用空調装置に装着し、該空調装置を作動させる。使用済みの蓄熱材カートリッジは前記蓄熱装置に返却し、再度、蓄熱させ、保管させる。【選択図】        図１
2005226844.tif 000002
【特許請求の範囲】
【請求項１】
個々の在室者周囲に向けて集中的に空調空気を供給するタスク域空調装置において、
空気吸込口と空気吐出口とを備えた筐体に、これら吸込口から吐出口に至る空気流路の途中に蓄熱材が密封された蓄熱材カートリッジを着脱自在に収容するカートリッジ収容部を設けてなることを特徴とするタスク域空調装置。
【請求項２】
前記カートリッジ収容部は、前記空気流路に配した熱交換フィンに設けてあることを特徴とする請求項１に記載のタスク域空調装置。
【請求項３】
前記カートリッジ収容部を複数個設け、これらカートリッジ収容部に個別に前記蓄熱材カートリッジを着脱自在としたことを特徴とする請求項１または請求項２に記載のタスク域空調装置。
【請求項４】
個々の在室者周囲に向けて集中的に空調空気を供給するタスク域の空調装置用システムにおいて、
空気吸込口と空気吐出口とを備えた筐体に、これら吸込口から吐出口に至る空気流路の途中に蓄熱材が密封された蓄熱材カートリッジを着脱自在に収容するカートリッジ収容部を設け、
前記蓄熱材カートリッジの蓄熱材に蓄熱させ、保管する蓄熱装置を設け、
所望により蓄熱材カートリッジを前記蓄熱装置から取り出して前記空調装置に装着し、使用済みの蓄熱材カートリッジを蓄熱装置に返却することを特徴とするタスク域の空調装置用システム。
【請求項５】
前記蓄熱装置は、蓄熱材カートリッジが返却口から取り出し口に順次移動し、取り出し口からは適宜に蓄熱された蓄熱材カートリッジを取り出せることを特徴とする請求項４に記載のタスク域の空調装置用システム。
【請求項６】
前記蓄熱装置は、夜間電力を利用して蓄熱処理を行わせることを特徴とする請求項４または請求項５に記載のタスク域の空調装置用システム。
【請求項７】
前記蓄熱装置を、アンビエント域用の空調装置に用いられる屋外機と共用させたことを特徴とする請求項４ないし請求項６のいずれかに記載のタスク域の空調装置用システム。
【発明の詳細な説明】
【技術分野】
【０００１】
この発明は、局所的に空調空気を供給して、いわゆるタスク・アンビエント空調を行うのに際して、タスク域の空調を行う空調装置に関し、さらにこの空調装置を機能させるのに適した空調装置用システムに関する。
【背景技術】
【０００２】
京都議定書で日本が義務付けられた温室効果ガス排出量の削減目標を達成するための対策の一つとして、冷房時の設定温度を28℃とすることが推奨された。この設定温度における環境は、個人差を勘案しても、特に夏季にはかなり暑い状態と考えられ、作業量の多いオフィスや代謝の高い人にとっては不快な環境となって、知的生産性に悪影響を与えるおそれがある。この悪影響を緩和するための方法として、パーソナル性を備えたタスクユニットが考えられる。すなわち、常時在室者がいるわけではないアンビエント域を比較的高い温度に設定し、在室者がいるタスク域のみを快適な環境に制御することによるタスク・アンビエント空調の採用により、作業者の快適性を損なわずに省エネを図ることが可能である。
【０００３】
タスク域の良好な環境を確保するための方法として、例えばタスク域に臨ませて空調空気の吹出口を配し、室内空調機の吐出口を、配管を介してこの吹出口に連通させて、空調空気を吹き出させる方法などがある。しかし、配管などの設備が必要となり、イニシャルコストが大きくなってしまうおそれがある。また、作業場所の移動などによってタスク域が変更になった場合に対応しにくい。そのため、可搬式のタスク域用の空調装置として、例えば特許文献１に開示されているような涼風装置がある。
【０００４】
前記涼風装置は、蓄冷材をパラフィンと水からなるエマルジョンとし、このエマルジョンを入れた蓄冷タンクを熱交換器とジョイントにより着脱自在に接続してなり、蓄冷材の効果が滅失された場合に、蓄冷タンクを交換するようにしたものである。
【０００５】
【特許文献１】特開平６−１３７７３２号
【発明の開示】
【発明が解決しようとする課題】
【０００６】
上述した特許文献１に記載された発明では、蓄冷タンク内の蓄冷材をポンプにより熱交換器を循環させ、ファンの送風を該熱交換機を通過させて冷風を供給するようにしたものである。このため、蓄冷材として流動性を備える必要があり、ジョイント部から漏洩するおそれがあり、特に蓄冷タンクの交換時には漏洩は避けられない。また、蓄冷タンクの蓄熱量を大きくすると、タンクの容量が大きくなって、運搬が不便なものとなってしまう。しかも、流動性を確保する必要から蓄冷材を固化させられず、十分な蓄熱量を確保できないおそれがある。さらに、蓄冷タンクを交換する際には、前記ジョイントを外さなければならず、交換作業が煩雑となり、また専門の作業者を要することになるおそれがある。また、蓄冷材を循環させるための搬送動力が必要となるため、そのためのエネルギーが必要となっている。
【０００７】
そこで、この発明は、タスク域の空調を容易に図ることができ、小型化を図ると共に蓄熱材の交換作業を簡便に行うことができるタスク域空調装置を提供することを目的とし、また、この空調装置を十分に機能させることができる空調装置用システムを提供することを目的としている。
【課題を解決するための手段】
【０００８】
前記の目的を達成するための技術的手段として、この発明に係る空調装置は、個々の在室者周囲に向けて集中的に空調空気を供給するタスク域空調装置において、空気吸込口と空気吐出口とを備えた筐体に、これら吸込口から吐出口に至る空気流路の途中に蓄熱材が密封された蓄熱材カートリッジを着脱自在に収容するカートリッジ収容部を設けてなることを特徴としている。
【０００９】
前記蓄熱材カートリッジをカートリッジ収容部に装着して作動させれば、空気吸込口から吸い込まれた空気は、蓄熱材カートリッジ内の蓄熱材が保有している熱を伴って前記空気吐出口から吹き出される。この吹き出された空調空気を作業者に吹き付けることができるので、作業者は快適な作業環境を得ることができる。また、この空気吐出口からの送風が及ぶ範囲は、アンビエント域と異なる温度に設定されるから、タスク域の環境を作業に適したものとすることができる。しかも、空調装置を任意の位置に設置することができるから、各個人に関して容易に個別に空調を行うことができる。なお、蓄熱材としては、保冷剤と保温剤とのいずれをも含む。
【００１０】
また、請求項２の発明に係る空調装置は、前記カートリッジ収容部は、前記空気流路に配した熱交換フィンに設けてあることを特徴としている。
【００１１】
蓄熱材カートリッジ内の蓄熱材が保有している熱は、前記熱交換フィンを介して送風空気と熱交換される。このため、効率よく熱交換されて、タスク域を所望の環境に迅速に設定できる。
【００１２】
また、請求項３の発明に係る空調装置は、前記カートリッジ収容部を複数個設け、これらカートリッジ収容部に個別に前記蓄熱材カートリッジを着脱自在としたことを特徴としている。
【００１３】
空調装置に装着する蓄熱材カートリッジの個数を調整することにより給気温度を容易に調整することができる。しかも、個々の蓄熱材カートリッジを小型にすることができるから、軽量にすることができ、誰でもが簡単に取り扱うことができる。
【００１４】
また、この発明に係るタスク域の空調装置用システムは、個々の在室者周囲に向けて集中的に空調空気を供給するタスク域の空調装置用システムにおいて、
空気吸込口と空気吐出口とを備えた筐体に、これら吸込口から吐出口に至る空気流路の途中に蓄熱材が密封された蓄熱材カートリッジを着脱自在に収容するカートリッジ収容部を設け、前記蓄熱材カートリッジの蓄熱材に蓄熱させ、保管する蓄熱装置を設け、所望により蓄熱材カートリッジを前記蓄熱装置から取り出して前記空調装置に装着し、使用済みの蓄熱材カートリッジを蓄熱装置に返却することを特徴としている。
【００１５】
すなわち、空調装置に着脱する蓄熱材カートリッジ内の蓄熱材は、前記蓄熱装置によって蓄熱される。そして、空調装置の利用者はこの蓄熱装置から蓄熱材カートリッジを取り出して、所望の空調装置に装着すればよい。熱交換が果たされて使用済みとなった蓄熱材カートリッジは、前記蓄熱装置に返却し、必要に応じて、該蓄熱装置に保管されて、蓄熱されている蓄熱材カートリッジと交換する。
【００１６】
また、請求項５の発明に係るタスク域の空調装置用システムは、前記蓄熱装置は、蓄熱材カートリッジが返却口から取り出し口に順次移動し、取り出し口からは適宜に蓄熱された蓄熱材カートリッジを取り出せることを特徴している。
【００１７】
すなわち、先行して返却された蓄熱材カートリッジを順次取り出せるようにすれば、その時点において蓄熱装置内に最も長い時間保管されているものを取り出せるから、十分に蓄熱された蓄熱材カートリッジを使用することができる。
【００１８】
また、請求項６の発明に係るタスク域の空調装置用システムは、前記蓄熱装置は、夜間電力を利用して蓄熱処理を行わせることを特徴としている。
【００１９】
蓄熱処理に用いられる電力として、夜間電力を利用する。夜間には蓄熱材カートリッジを利用することがないから、全ての蓄熱材カートリッジを蓄熱装置に返却して蓄熱することができる。このとき、蓄熱装置の使用電力が最大となるが、夜間に行われるため、電力量のピークが夜間となる。
【００２０】
また、請求項７の発明に係るタスク域の空調装置用システムは、前記蓄熱装置を、アンビエント域用の空調装置に用いられる屋外機と共用させたことを特徴としている。
【発明の効果】
【００２１】
この発明に係るタスク域空調装置によれば、筐体を任意の場所に設置することにより、このタスク域空調装置により生成された空調空気を作業者に吹き付けることができ、また、その周囲の温度環境を容易に調整することができ、タスク域の空調を容易に行うことができる。しかも、空調装置内に蓄熱材カートリッジを装着する構造であるため、この空調装置を小型化でき、可搬性を備えさせることができ、任意の場所に容易に設置することができる。また、蓄熱材が蓄熱材カートリッジに密封されているから、該蓄熱材カートリッジごと交換することができる。このため、使用済みのカートリッジを容易に未使用のものに簡単に交換することができる。
【００２２】
また、請求項２の発明に係るタスク域空調装置によれば、熱交換フィンによって熱交換を効率よく行わせることができ、タスク域の空調をより迅速に行うことができる。
【００２３】
また、請求項３の発明に係るタスク域空調装置によれば、装着する蓄熱材カートリッジの数を調整することにより給気温度を容易に調整することができる。
【００２４】
また、請求項４の発明に係るタスク域の空調装置用システムによれば、蓄熱装置によって常に蓄熱材カートリッジの蓄熱材に蓄熱されており、蓄熱材カートリッジの交換の容易性と相俟って、常時タスク域の環境を良好な状態に保たせることができる。
【００２５】
また、請求項５の発明に係るタスク域の空調装置用システムによれば、常に適宜に蓄熱された蓄熱材カートリッジを使用することができるので、タスク域の環境をより良好な状態に保たせることができる。
【００２６】
また、請求項６の発明に係るタスク域の空調装置用システムによれば、夜間の安価な電力を用いることができるので、ランニングコストを低減させることができる。しかも、二酸化炭素排出係数の小さい夜間電力を用いることによって、二酸化炭素排出量を削減することができる。
【００２７】
また、請求項７の発明に係るタスク域の空調装置用システムによれば、システムを構成する機器の簡素化を図ることができる。しかも、夜間にはアンビエント域用の空調装置は利用されないから、蓄熱装置による蓄熱処理に共用の屋外機を利用することが可能となる。
【発明を実施するための最良の形態】
【００２８】
図１はこの発明に係るタスク域用空調装置１の縦断面図である。ほぼ直方体の筐体２の内部に蓄熱材カートリッジ３が着脱自在に装着されるようにしてある。筐体２の背面側の下部には吸込口2aが開口されて形成されており、開口部にはフィルタ2bが取り付けられて、該吸込口2aを通過する空気が浄化されるようにしてある。この吸込口2aの内側には吸気ファン４が設けられて、吸込口2aから筐体２内に空気が吸い込まれる。他方、前面側の上部には吐出口2cが開口されて形成されており、開口部にはルーパー2dが取り付けられて、吐出される空気の方向が変更されるようにしてある。
【００２９】
また、筐体２は内外部の温度環境が遮断されるように、断熱材等が壁部に組み込まれるなどによって、断熱されている。さらに、筐体２の底部には内部に結露して滴下した水分を受けるドレン受け2eが設けられている。
【００３０】
筐体２の内部には熱交換用のフィン５が設けられており、この熱交換フィン５には図２に示すように、複数箇所にカートリッジ収容部６が形成されている。この実施形態では、４箇所に形成されているものを示している。このカートリッジ収容部６に、前記蓄熱材カートリッジ３が着脱自在とされている。前記筐体２の上面には蓋体７が開閉自在に取り付けられており、この蓋体７を開放した状態で、前記カートリッジ収容部６に蓄熱材カートリッジ３を着脱することができる。なお、図１及び図２において、矢標によって空気の流れ方向を示している。
【００３１】
前記蓄熱材カートリッジ３には蓄熱材が充填されて密封されている。この蓄熱材カートリッジ３は、図１及び図２に示すように、直方体に形成されており、上端部に矩形の透孔により把持部3aが形成されている。また、蓄熱材カートリッジ３は、図２(ａ)に示すように前記カートリッジ収容部６の全てに収容させても、同図(ｂ)に示すように全てのカートリッジ収容部６に収容させないこともできる。なお、同図(ｂ)は、中央の２箇所のカートリッジ収容部６にのみ蓄熱材カートリッジ３を収容させた状態を例示している。
【００３２】
このタスク域用空調装置１は、図３に示すような外観を呈し、正面上部に前記吐出口2cが現れ、正面部には前記吸気ファン４を駆動させるスイッチ８や風量の調節ダイヤル９が配されている。
【００３３】
図４は、前記蓄熱材カートリッジ３を蓄熱させ、保管する蓄熱装置10の概略構造を示す断面図である。この蓄熱装置10は前記タスク域用空調装置１を利用する室と同室内か近傍に設置される。蓄熱装置10は正面上部に返却口11が設けられ、下部に取り出し口12が設けられている。これら返却口11と取り出し口12には、それぞれ扉体11a 、12a が取り付けられている。扉体11a は、同図に示すように、蓄熱材カートリッジ３を蓄熱装置10に返却する際に、該蓄熱材カートリッジ３を押し込むと内側に開放され、扉体12a は蓄熱材カートリッジ３を取り出す際には、操作者が外側に持ち上げると開放される。
【００３４】
蓄熱装置10の内部は、図４に示すように、正面側と背面側とに設けられた一対の支持板13、14の対向した面に、先端部側が下位となる状態に斜め方向を指向させて伸張させたガイド板13a 、14a が交互となる高さ位置に設けられている。これらガイド板13a 、14a の先端部間は、蓄熱材カートリッジ３が通過することができる距離に設定されている。
【００３５】
この蓄熱装置10は、図５に示すように、該蓄熱装置10が設置された室に配設されたアンビエント用空調装置20のための屋外機21を利用して駆動するようにしてある。このため、該屋外機21は、昼間にはアンビエント用空調装置20の運転のために利用し、夜間には蓄熱装置10の運転のために利用することができる。したがって、蓄熱装置10の運転が昼間のアンビエント用空調装置20の運転の支障とならず、夜間電力を利用することができるので、昼間の電力を使用する場合に比べて蓄熱処理のコストを低減できる。
【００３６】
以上により構成されたこの発明に係るタスク域用空調装置と空調装置用システムの作用を、以下に説明する。
【００３７】
図６はこの空調装置用システムを利用するためのイメージを示したものである。タスク域の空調を希望する者Ｐは、同図(ａ)に示すように、前記蓄熱装置10の取り出し口12の扉体12a を開放して蓄熱材カートリッジ３を必要個数取り出す。このとき、蓄熱材カートリッジ３は最下部のものが取り出され、該蓄熱材カートリッジ３内の蓄熱材は、蓄熱装置10に最も長い時間保管されていたため、最大の蓄熱量を保有しているものである。取り出さした蓄熱材カートリッジ３は、同図(ｂ)に示すように、空調装置１に装着する。すなわち、蓋体７を開いてカートリッジ収容部６に挿入する。このとき、例えば、希望する空調空気の温度を考慮して、蓄熱材カートリッジ３は必要な個数をカートリッジ収容部６に装着する。すなわち、アンビエント領域に対して大きい温度差の空調空気を希望する場合には、図２(ａ)に示すように、全てのカートリッジ収容部６に装着させ、希望する温度差が小さい場合には、図２(ｂ)に示すように、一部のカートリッジ収容部６にのみ蓄熱材カートリッジ３を装着する。
【００３８】
蓄熱材カートリッジ３が装着された空調装置１を、図６(ｃ)に示すように、作業場所に設置し、スイッチ８をオンさせる。これにより、前記吸気ファン４が作動し、吸込口2aから空気が吸い込まれ、前記吐出口2cから吹き出される。吸込口2aから吸い込まれた空気は、蓄熱材カートリッジ３との間で熱交換が行われ、温度調節された空気となって吐出2cから吹き出される。また、この熱交換は、前記熱交換フィン５を介することによって、効率よく行われる。この吹き出し空気を作業域に向けて吹き出させることにより、作業者Ｐは快適な温度環境で作業を行うことができ、タスク域の空調を果たすことができる。
【００３９】
蓄熱材カートリッジ３内の蓄熱材は、熱交換が進むと室温とほぼ等しい温度となるから、以後、作業域の空調を十分に果たすことができなくなる。そこで、この蓄熱材カートリッジ３を蓄熱装置10に返却する。すなわち、図６(ｄ)に示すように、タスク域用空調装置１から蓄熱材カートリッジ３を取り出し、これを同図(ｅ)に示すように、蓄熱装置10へ返却する。返却の際には、前記返却口11から蓄熱材カートリッジ３を押し込めば、前記扉体11a が開放されて、蓄熱材カートリッジ３が蓄熱装置10に挿入される。挿入された蓄熱材カートリッジ３は、図４に示すように、最上部に載置されるから、その時点で最後に取り出される蓄熱材カートリッジ３となる。
【００４０】
すなわち、返却口11から返却された蓄熱材カートリッジ３は、最上部に載置される。この状態で取り出し口12から蓄熱材カートリッジ３が取り出されると、その直上に位置していた蓄熱材カートリッジ３が最下部のガイド板14a に移動し、次に取り出される蓄熱材カートリッジ３となる。そして、蓄熱材カートリッジ３は順次直下のガイド板13a 、14a に移動して、返却口11側から取り出し口12側に移動することになる。したがって、取り出し口12から取り出される蓄熱材カートリッジ３は、この蓄熱装置10内に最も長い時間滞留しているものであり、その蓄熱材が保有する蓄熱量は最も適宜なものとなる。
【００４１】
しかも、この蓄熱装置10の駆動は、前記アンビエント用空調装置20が駆動されない夜間に夜間電力を主として利用するから、安価な電力を利用することができ、しかも、二酸化炭素排出係数の小さい夜間電力を用いることによって二酸化炭素排出量を削減する効果を奏する。特に、蓄熱装置における蓄熱処理を夜間電力で行う場合には、用意する蓄熱材カートリッジ３の個数を適宜なものとして、返却された蓄熱材カートリッジ３を翌日まで取り出せないようにしてあれば、確実に夜間電力のみで蓄熱処理を行えるので好ましい。
【００４２】
以上説明した実施形態において、蓄熱材カートリッジ３に密封されている蓄熱材は、いわゆる保冷剤であっても、保温剤であっても構わない。前述したように、冷房時に省エネを重視し、通常よりも高い設定温度にすることにより、女性に多い冷房による冷え性の緩和も図ることができる。また、そのとき暑さを感じる人の不快感は空調装置１から吹き出される冷風によって緩和することができ、これによって省エネと同時に作業者全員の快適性を図れる。暖房時においても、設定温度を低めにし、蓄熱材カートリッジ３に保温剤を用いて空調装置１から温風を吹き出させることにより、冷房時と同様に省エネと作業者全員の快適性を図れる。しかも、蓄熱材カートリッジ３に夜間電力を用いて蓄熱処理を行わせた場合、設定温度に拘わらず冷房及び暖房に夜間電力を用いることができ、二酸化炭素排出量削減と電気料金の低減を果たすことができる。
【００４３】
保冷剤を用いる場合に関して、適切なものを考察したので、以下にそれを説明する。蓄熱材カートリッジ３は、蓄熱装置10と空調装置１との間の搬送に不都合があってはならないから、重量が１kg程度のもので、素手にて運搬する場合に安全に把持することができるものとする。このため、凝固熱もしくは融解熱を利用した蓄熱材として、PCM13 （(株)三菱化学製）と水とについて検討を行った。これらの物性値は図７に示すとおりであり、同図(ａ)はPCM13 を、(ｂ)は水をそれぞれ示している。なお、PCM13 の物性値は、1999年日本建築学会大会学術講演梗概集第1005頁より抜粋したものである。
【００４４】
前記物性値を元にそれぞれの能力を推定する。PCM13については、４kgの蓄熱材を５℃まで冷却し、15℃まで使用すると、その時の蓄熱量は791kJとなる。また、水については、４kgの蓄熱材を−５℃まで冷却し、15℃まで使用した場合の蓄熱量は、1,612kJとなる。そして、PCM13について、供給空気の４／15が温度13℃で湿度90％まで冷却され、残り（11／15）の室内空気（28℃50％）と混合して24℃58％の供給空気が生成されると仮定した場合の能力は凡そ86Ｗとなる。また、水について、供給空気の１／７が温度０℃で湿度90％まで冷却され、残り（６／７）の室内空気（28℃50％）と混合して24℃57％の供給空気が生成されると仮定した場合に、その能力は凡そ96Ｗとなる。なお、いずれの場合も風速１m／sで、吐出口2cの開口が横0.16m×縦0.07mとする。これら蓄熱材の能力差の比較を図８に示してある。同図に示されているとおり、蓄熱材として水を用いた場合が、蓄熱量が最も大きくなり、高い能力を期待できる。
【００４５】
すなわち、蓄熱材に水を用いることが最もタスク域用空調装置の能力を高くすることができる。しかも、蓄熱量が非常に大きいために、持続時間が長くなり、安価であって、人体にも無害であり、廃棄する場合の処理方法が問題となることがない。他方、０℃よりも低い温度まで冷却する必要があって蓄熱時の消費電力が大きくなる。このため、アンビエント空調のための前記空調装置20に用いられている既存の屋外機21を併用することができなくなる場合が生じる。また、室内温度と蓄熱材との温度差が大きくなるため、適温に維持した給気を行う制御が煩雑となるおそれがある。しかも、蓄熱材の温度が低いため、作業者Ｐが素手で長時間触れることができないおそれがあり、例えば保冷バッグなどの専用の運搬具を必要とするおそれが生じる。
【００４６】
ところで、蓄熱材としては水が最も大きな能力を備えているが、省エネ効率等で劣る面がある。このため、２種類の蓄熱材を用いて、それぞれの蓄熱材ごとに蓄熱材カートリッジを備えさせ、前記タスク域用空調装置を２種類の蓄熱材カートリッジを装着するようこともできる。
【産業上の利用可能性】
【００４７】
この発明は、タスク域を効率よく空調することができるので、タスク・アンビエント空調の促進を図り、省エネに寄与できると共に、温暖化ガス排出量の削減を図ることができ、電力料金の削減を図って空調に係るコストを低減できる。
【図面の簡単な説明】
【００４８】
【図１】この発明に係るタスク域用空調装置の概略構造を示す中央部縦断面図である。
【図２】この発明に係るタスク域用空調装置の概略構造を示す中央部横断面図であり、(ａ)は全てのカートリッジ収容部に蓄熱材カートリッジを装着した状態を、(ｂ)は一部のカートリッジ収容部に蓄熱材カートリッジを装着した状態を示している。
【図３】この発明に係るタスク域用空調装置の外観の概略を示す斜視図である。
【図４】この発明に係るタスク域の空調装置用システムに用いられる蓄熱装置の概略構造を示す中央部縦断面図である。
【図５】この発明に係るタスク域の空調装置用システムに用いられる蓄熱装置の運転系統を説明する構成図である。
【図６】この発明に係るタスク域の空調装置用システムの使用方法を説明する概略図である。
【図７】蓄熱材として用いる代表的な保冷剤の物性値を比較して示す表であり、(ａ)はPCM13 を、(ｂ)は水をそれぞれ示している。
【図８】図７に示した保冷剤に関して、その能力差を比較する表である。
【符号の説明】
【００４９】
１  タスク域用空調装置
2a  吸込口
2c  吐出口
３  蓄熱材カートリッジ
４  吸気ファン
５  熱交換フィン
６  カートリッジ収容部
７  蓋体
10  蓄熱装置
11  返却口
12  取り出し口
13a  ガイド板
14a  ガイド板
21  屋外機
【図１】
2005226844.tif 000003
【図２】
2005226844.tif 000004
【図３】
2005226844.tif 000005
【図４】
2005226844.tif 000006
【図５】
2005226844.tif 000007
【図６】
2005226844.tif 000008
【図７】
2005226844.tif 000009
【図８】
2005226844.tif 000010